(57)【要約】【課題】  ダンパー板の下方や側壁板とダンパー板との間に小石等が挟まることなく、円滑な操作が可能な電動ダンパー装置を提供する。【解決手段】                                                                                    扇形ベース板上に固定したダンパー板を設け、電動機の回転運動を直線運動に変換したパワーシリンダを設け、このパワーシリンダの端部をダンパー板の上端縁にピン支持し、パワーシリンダの往復動により扇形ベース板とダンパー板とが軸支部を中心に回動してスクリーンその他の投入部から供給される岩石や砕石を所望する大きさと分配量に従って自動的に振分け、調節可能とした電動ダンパー装置。【選択図】  図１
2007050376.tif 000002
【特許請求の範囲】
【請求項１】
扇形ベース板上に固定したダンパー板を設け、電動機の回転運動を直線運動に変換したパワーシリンダを設け、このパワーシリンダの端部をダンパー板の上端縁にピン支持し、パワーシリンダの往復動により扇形ベース板とダンパー板とが軸支部を中心に回動して、スクリーンその他の投入部から供給される岩石や砕石を所望する大きさと分配量に従って自動的に振分け、調節可能としたことを特徴とする電動ダンパー装置。
【請求項２】
扇形ベース板の円周部を覆うようスクリーン幅又はシュート部の両側壁幅に合わせた防御板を設けた請求項１記載の電動ダンパー装置。
【請求項３】
扇形ベース板が１２０度の開度とし、電動機への電流制御によりダンパー板にピン支持したパワーシリンダを介して６０度以内で開度を複数段に可変とした請求項１記載の電動ダンパー装置。
【請求項４】
電動機への電流制御によるパワーシリンダの作動及びダンパー板の開度を表示する表示盤を設け自動制御するようにした請求項１記載の電動ダンパー装置。
【請求項５】
砕石の投入部となる両側の側壁板に沿ってそれぞれ扇形ベース板を設け、これら扇形ベース板間に竪型ダンパーを固定し、扇形ベース板又は竪型ダンパーにパワーシリンダその他の駆動部を連結したことを特徴とする電動ダンパー装置。
【発明の詳細な説明】
【技術分野】
【０００１】
本発明はスクリーンその他から投入される岩石や砕石を、所望する比率に分配する電動ダンパーに関する。
【背景技術】
【０００２】
図６、図７に示すように、スクリーン又は投入部から供給される岩石や砕石を所望する大きさと配分量に従い振分けするため、従来からダンパーが使用されている。
【０００３】
例えば砕石の大きさが１５０−８０ｍｍ  １０％、８０−４０ｍｍ  ２０％、４０−２０ｍｍ  ２０％、２０−５ｍｍ２０％、５ｍｍ以下(砂)３０％の分配比率としたものが必要とされる場合、複数段にわたりスクリーン、シュート部その他投入部からの岩石等を振分ける。
【０００４】
このような分配をするため、一例を挙げると次のような段階を設けている。
【０００５】
上段に篩目１５０ｍｍ、下段に篩目８０ｍｍの金網を取付けた１次スクリーンに１次破砕した砕石を供給すると、下段の金網を通過する８０ｍｍ以下のものは、次の２次スクリーンへ、下段の金網に残る１５０−８０ｍｍのものは一部ダンパーによって製品としてストックパイルへ振分けられ、余剰分は上段の金網に残る１５０ｍｍより大きいものと一緒に２次クラッシャーへベルトコンベヤで送られて更に細かく破砕される。
【０００６】
上段に篩目４０ｍｍ、下段に篩目２０ｍｍの金網を取付けた２次スクリーンは８０ｍｍ以下のものの篩分けを行い、下段の金網を通過する２０ｍｍまでのものは３次スクリーンへ、上段の金網に残る８０−４０ｍｍのものは一部ダンパーによって製品としてストックパイルへ振分けられ、余剰分は３次クラッシャーへ、同様に下段の金網に残る４０−２０ｍｍのものは一部ダンパーによって製品としてストックパイルへ振分けられ、余剰分は８０−４０ｍｍの余剰分と一緒に３次クラッシャーにベルトコンベヤで送られて、さらに細かく破砕される。
【０００７】
上段に篩目５ｍｍの金網を取付け、下段はフリーにした３次スクリーンは２０ｍｍ以下のものの篩分けを行い、上段の金網を通過する５ｍｍまでのものは砕砂の原料として原砂パイルへ、上段の金網に残る２０−５ｍｍのものは一部ダンパーによって製品としてストックパイルへ振分けられ、余剰分は５ｍｍまでのものと同様砕砂の原料として原砂パイルへベルトコンベヤで送られる。
以下、ダンパーを用いた文献を示す。
【特許文献１】特開平５−２７７４４３号公報  粉砕機への被粉砕物の供給方法及びその装置
【０００８】
この文献では、ダンパーを開示しているが、本願のようにダンパーの下方に入り込む小石等に対する配慮を示唆する記載がない。
【特許文献２】特開平２００４−１４１７１３号公報  骨材製造用粉砕システム
【０００９】
この文献では、分配機として二股ダンパー式を開示しているが、ダンパーと側壁間に小石等が挟まる場合の対処について記載がなく、本願の構成とは異なる。
【発明の開示】
【発明が解決しようとする課題】
【００１０】
本発明が解決しようとする問題点は、従来のダンパーでは振分け時にダンパー板の下方とスクリーンシート板との間又はシュート部や側壁とダンパーとの間に小石が挟まり、ダンパーが動かなくなって振分けができなくなり、所望する石の大きさや配分量に従う砕石の生産が不可能となっていた点である。
【００１１】
この課題を解消するため、ダンパーの下方にブラシを取付け、又はゴムスカートを取付けて小石等が入りにくくする方法があるが、これらブラシやゴムスカートの磨耗が早くメンテナンスに過剰な時間と費用がかかる難点があった。
【課題を解決するための手段】
【００１２】
第１発明は、扇形ベース板上に固定したダンパー板を設け、電動機の回転運動を直線運動に変換するパワーシリンダを設け、このパワーシリンダの端部をダンパー板の上端縁にピン支持し、パワーシリンダの往復動により扇形ベース板とダンパー板とが軸支部を中心に回動してスクリーンその他の投入部から供給される岩石や砕石を所望する大きさと分配量に従って自動的に振分け、調節できるようにした電動ダンパー装置である。
【００１３】
第２発明では、扇形ベース板の円周部を覆うようスクリーン幅又はシュート部の両側壁幅に合わせた防御板を設けた。
【００１４】
第３発明では、扇形ベース板が１２０度の開度とし、電動機への電流制御によりダンパー板にピン支持したパワーシリンダを介して６０度以内で開度を複数段に変化可能とした。
【００１５】
第４発明では、電動機への電流制御によるパワーシリンダの作動及びダンパー板の開度を表示する表示盤を設けた。
【００１６】
第５発明では、砕石の投入部となる両側の側壁板に沿ってそれぞれ扇形ベース板を設け、これら扇形ベース板間に竪型ダンパーを固定し、扇形ベース板又は竪型ダンパーにパワーシリンダその他の駆動部を連結した。  
（作用）
【００１７】
第１発明では、パワーシリンダの端部をダンパー板の上端縁にピン支持しているので、電動機の回転運動を直線運動に変換するようにしてダンパー板に伝達され、扇形ベース板とダンパー板が軸支部を中心に回動する。従って、ダンパー板は扇形ベース板に固定され、ダンパー板の下方に隙間がなく、小石等が挟まる不都合は皆無となった。  
【００１８】
また電動機の回動を制御することにより自動的にダンパー板の開度が制御でき、スクリーンその他の投入部から供給される岩石や砕石を所望する大きさと分配量に従って自動的に振分けができるようになった。
【００１９】
第２発明では、扇形ベース板の円周部を覆うよう防御板をスクリーン幅又はシュート部の両側壁幅に合わせて設けることにより扇形ベース板の円周部が保護されている。スクリーンからの岩石等はこの防御板を経てダンパー板により分配される。なお、扇形ベース板及びダンパー板を耐摩耗性の高い鋼材にしておけば、より安全で耐久性に富むこととなる。
【００２０】
第３発明では、扇形ベース板が１２０度の開度とし、電動機への電流制御によりダンパー板にピン支持されているパワーシリンダを介して６０度以内で開度を複数段に変化可能としたので、骨材の大きさに従い分配する量を制限して振分けることができる。予め複数段に開度の設定をしておけば、電動機の電流制御だけで操作でき且つ安全に配分量を可変とした。
【００２１】
第４発明では、電動機への電流制御によるパワーシリンダの作動及びダンパー板の開度を表示する表示盤を設けたので、現場において操作が目視により監視でき、表示盤に予め複数段の数値や配分効果等が記載してあれば使い勝手が極めてよくなる。インジケーター、ポテンシャルメーターを設けて管理することもできる。
【００２２】
第５発明では、砕石の投入部となる両側の側壁板に沿ってそれぞれ扇形ベース板を設け、これら扇形ベース板間に竪型ダンパーを固定し、扇形ベース板又は竪型ダンパーにパワーシリンダその他の駆動部を連結した。従って、側壁板とダンパー板間に小石等が挟まる間隙がなく、垂直状を含む傾斜部での石の振分けが円滑に行えるようになった。
【発明の効果】
【００２３】
本発明では、スクリーンからのシュート部その他の投入部に扇形ベース板を備え、この扇形ベース板上にダンパー板を固定することにより両者間に隙間がなく、ダンパー板の下方へ小石が入りこむ余地がなくなった。従って、扇形ベース板とダンパーはパワーシリンダその他の駆動部の強力な作動により常に円滑に回動し振分け操作が容易且つ自動的となった。
【００２４】
扇形ベース板の回動が電動機に対するスイッチ操作で簡単に変えられるので、安全であり且つ振分け配分も予め複数段に設定しておくことによりダンパー板の開度を石の大きさや分配量に従い可変となり、機構の全面自動化ができるようになった。
【発明を実施するための最良の形態】
【００２５】
本発明はスクリーンその他の投入部から供給される岩石や砕石の振分け分配を自動的に調節可能としたものであり、以下図面に従って実施例につき説明する。
【実施例１】
【００２６】
図１は、本発明の要部を示す平面図である。１は扇形ベース板で、約１２０度の開度とされている。勿論この開度はこれに限定されない。２はダンパー板で、扇形ベース板１上で端縁部から６０度の位置に溶接により固定され、扇形ベース板１とダンパー板２との間には隙間が生じないようになっている。３はダンパー板２の軸支部である。
【００２７】
４はパワーシリンダで、端部をダンパー板の上端縁にピン支持され、他端は電動機に連結されると共にピン支持部で回動可能に設けている。電動機は電流制御により回転され、回転運動をパワーシリンダの往復直線運動に変換するよう接続されている。一例として１０００kgの推進力で、７００ｍｍストロークのものを使用した。
【００２８】
なお、電動機等の回転運動を直線運動に変換する機構であれば、パワーシリンダに限定されない。固定フレームに取付けられ、扇形ベース板とダンパー板とを同時に軸支部を中心に回動可能な機構、例えばピニオンギヤーを用いた機構、を用いる事ができる。
５は電動機のピン支持部、６は電動機を示す。
【００２９】
７は防御板で、スクリーン幅に設けられ、扇形ベース板１の円周部を覆うようにした。望ましくは円弧状に形成されている。８は固定フレーム、９はスクリーンである。      分配された砕石は、シュートの出口からベルトコンベアで搬送され製品とされるもの、２次破砕機設備へ搬送されて、クラッシャーで破砕されるものもある。
図２、図３に示すように、ダンパー板１は水平線から約４０度に傾斜しているが、  ２次スクリーン、３次スクリーンシュートになると、傾斜角度を１次スクリーンよりも急激にしても砕石等の振分けに支障がない。
【実施例２】
【００３０】
図４、図５に示したのは他実施例で、傾斜角度が図３の場合とは変わり、製品となるものとベルトコンベヤ１０で搬送されてクラッシャーへ送られるもの等３つのルートにダンパー板により配分される。この例では、スクリーンからの投入口が２段とされ、扇形ベース板とダンパー板がそれぞれ別に形成されている。
【００３１】
図６は本発明の電動ダンパー装置の要部斜視図である。  １は扇形ベース板、２はダンパー板、３はダンパー板の軸支部を示す。４はパワーシリンダ、５はピン支持部を示す。扇形ベース板１の上方に示した両側の矢印は回動範囲を示すものである。
【００３２】
図７に示すように、スクリーン９で下方へ落下した１５０ｍｍ―８０ｍｍの岩石はベルトコンベヤ１１で搬送され集積される。スクリーン９の下段のスクリーンを通過した８０ｍｍ以下の砕石はベルトコンベヤ１２により製品として集積される。スクリーン９からダンパーへ投入されたものはダンパー板２により振分けられ、製品ストックラインへベルトコンベヤ１３で搬送されるもの、ベルトコンベヤ１４からクラッシャー１５へ搬送され、破砕されてベルトコンベヤ１６で搬送され、細砕石として集積されるものもある。
【実施例３】
【００３３】
図８、図９に示したものは、竪型ダンパーを用いた例を示す。
【００３４】
砕石の投入部となる両側の側壁板１７に沿ってそれぞれ扇形ベース板１８を設け、これら扇形ベース板間に竪型ダンパー１９を固定し、扇形ベース板又は竪型ダンパーにパワーシリンダその他の駆動部２０を連結した。
【００３５】
従来のダンパーでは、図１０に示すように側壁板２１とダンパー２２との間に小石等２３が挟まってダンパーが運転不能になる欠点があったが、本発明ではこのような危険を防止できた。
【産業上の利用可能性】
【００３６】
扇形ベース板とダンパー板が固定され一体的に回動するので、振分け配分を円滑に実行でき、構造がシンプルで、石詰りもなくトラブルの発生も考えられない。従って自動化に適しており、骨材プラントの自動化の促進をさらに飛躍的に向上させる効果がある。
【図面の簡単な説明】
【００３７】
【図１】本発明の電動ダンパー装置の平面図。
【図２】シュート部と扇形ベース板とを示した平面図。
【図３】砕石の投入部と配分の状態を示す側面図。
【図４】他実施例を示すダンパー板の平面図
【図５】砕石の投入部と配分の状態を示す側面図。
【図６】ダンパー装置の全体を示す説明図。
【図７】ダンパー板による振分け及びベルトコンベヤによる搬送、集積状態を示す説明図。
【図８】竪型ダンパーの例を示す正面図。
【図９】竪型ダンパーの側面図。
【図１０】従来の竪型ダンパーの説明図。
【符号の説明】
【００３８】
１：  扇形ベース板
２：  ダンパー板
３：  軸支部
４：  パワーシリンダ  
５：  ピン支持部
６：  電動機
７：  防御板
９：  スクリーン
１７：側壁部
１８：扇形ベース板
１９：竪型ダンパー
２０：駆動部
【図１】
2007050376.tif 000003
【図２】
2007050376.tif 000004
【図３】
2007050376.tif 000005
【図４】
2007050376.tif 000006
【図５】
2007050376.tif 000007
【図６】
2007050376.tif 000008
【図７】
2007050376.tif 000009
【図８】
2007050376.tif 000010
【図９】
2007050376.tif 000011
【図１０】
2007050376.tif 000012